(57)【要約】      （修正有）【課題】スプールに付与される磁気制動力を、スプール軸から移動部材を取り外すことなく容易に変更が可能。【解決手段】スプール１３に磁気制動力を付与する制動機構２０は、スプール１３と一体に回転しつつスプール軸１０の軸方向に移動可能な導電体２５と、リール本体２を覆うカバー４ａに設けた磁石２１、２２と、スプール１３の回転に伴う遠心力を受けてスプール１３の径方向に移動し、導電体25を磁石２１,２２に接離する方向に移動させて複数の移動部材２４ａ、２４ｂとを備えている。移動部材２４ａ, ２４ｂは、スプール１３の径方向への移動を許容する作動状態と、スプール１３の移動を禁止する非作動状態とに切り換え可能であるとともに、移動部材２４ａ，２４ｂを作動状態又は非作動状態に切り換え操作する操作部３７を有する。操作部３７は、カバー４ａをリール本体２から取り外した時に、リール本体2の外から人為的に操作可能である。【選択図】図１
2008193927.tif 000002
【特許請求の範囲】
【請求項１】
リール本体と、
上記リール本体にスプール軸を介して回転自在に支持されたスプールと、
上記リール本体に取り外し可能に支持され、上記スプールの一端を上記リール本体の外から覆うカバーと、
回転するスプールに磁気制動力を付与する制動機構と、を具備する魚釣用リールであって、
上記制動機構は、
上記スプールの一端に位置するように上記スプール軸上に設けられ、上記スプールに追従して回転するとともに、上記スプール軸の軸方向に移動可能な導電体と、
上記カバーに設けられ、上記導電体と向かい合う磁石と、
上記スプールの回転に伴う遠心力を受けて上記スプールの径方向に移動することで、上記導電体を上記磁石に近づけたり遠ざかる方向に変位させ、上記導電体に作用する上記磁石の磁力を変化させて上記磁気制動力を増減させる複数の移動部材と、を備え、
上記移動部材は、夫々上記スプールの径方向への移動を許容する作動状態と、上記スプールの径方向への移動を禁止する非作動状態とに切り換え可能であるとともに、上記移動部材を作動状態又は非作動状態に切り換え操作するための操作部を有し、この操作部は、上記カバーを上記リール本体から取り外した時に、上記リール本体の外から人為的に操作可能であることを特徴とする魚釣用リール。
【請求項２】
請求項１の記載において、上記移動部材は、上記導電体と一緒に回転しつつ上記スプール軸の軸方向に移動可能なブラケットに支持され、上記ブラケットは、上記移動部材の移動経路に対応する位置に第１の係合部を有するとともに、上記移動部材は、上記第１の係合部に取り外し可能に係合する第２の係合部を有し、上記移動部材の作動状態では、上記第１の係合部と上記第２の係合部との係合が解除され、上記移動部材の非作動状態では、上記第１の係合部と上記第２の係合部とが互いに係合し合うことを特徴とする魚釣用リール。
【請求項３】
請求項２の記載において、上記移動部材の第２の係合部は、上記操作部を人為的に操作することで上記第１の係合部から外れることを特徴とする魚釣用リール。
【請求項４】
請求項２又は請求項３の記載において、上記移動部材は、上記第２の係合部が上記第１の係合部から外れる方向および上記第２の係合部が上記第１の係合部に係合する方向に弾性変形が可能であることを特徴とする魚釣用リール。
【請求項５】
リール本体と、
上記リール本体にスプール軸を介して回転自在に支持されたスプールと、
上記リール本体に取り外し可能に支持され、上記スプールの一端を上記リール本体の外から覆うカバーと、
回転するスプールに磁気制動力を付与する制動機構と、を具備する魚釣用リールであって、
上記制動機構は、
上記スプールの一端に位置するように上記スプール軸上に設けられ、上記スプールに追従して回転するとともに、上記スプール軸の軸方向に移動可能な導電体と、
上記カバーに設けられ、上記導電体と向かい合う磁石と、
上記スプールの回転に伴う遠心力を受けて上記スプールの径方向に移動することで、上記導電体を上記磁石に近づけたり遠ざかる方向に変位させ、上記導電体に作用する上記磁石の磁力を変化させて上記磁気制動力を増減させる複数の移動部材と、
上記移動部材に係合することで上記移動部材の移動を禁止する第１の位置と、上記移動部材から離脱することで上記移動部材の移動を許容する第２の位置との間で移動可能なロック部材と、を備え、
上記ロック部材は、上記カバーを上記リール本体から外した時に、上記リール本体の外からの人為的な操作により上記第1の位置又は上記第２の位置に選択的に移動可能であることを特徴とする魚釣用リール。
【請求項６】
請求項５の記載において、上記ロック部材は、上記スプール軸の外周に上記スプール軸の軸方向に移動可能に支持され、上記移動部材は、上記ロック部材の一端が取り外し可能に係合する係合部を有することを特徴とする魚釣用リール。
【発明の詳細な説明】
【技術分野】
【０００１】
本発明は、スプールに磁気制動力を付与することでスプールの過剰回転を防ぐようにした魚釣用リールに係り、特にスプールに付与される磁気制動力を釣人の好みや釣場の状況等に応じて幅広く調節するための構造に関する。
【背景技術】
【０００２】
例えば両軸受タイプの魚釣用リールでは、キャスティング時にスプール自体が回転することにより釣糸が繰り出される。このため、釣糸の繰り出し速度よりもスプールの回転速度が速すぎると、バックラッシュ現象が生じて釣糸の絡みや食い込み等の不具合を招く原因となる。
【０００３】
このバックラッシュ現象を防止するため、特許文献１に開示された魚釣用リールは、釣糸の繰り出しに伴うスプールの過剰回転を抑制する制動機構を装備している。従来の制動機構は、スプール軸の上に位置する第１の移動部材と、この第１の移動部材に取り付けられた円筒状の導電体と、この導電体の一端と向かい合う磁石と、上記第１の移動部材に支持された複数の第２の移動部材と、を備えている。
【０００４】
第１の移動部材は、スプールに追従して回転しつつスプールの軸方向に移動可能にスプール軸に支持されており、常にコイルばねを介して磁石から遠ざかる方向に付勢されている。第２の移動部材は、スプールに対し放射状に配置されて、スプールの径方向に移動可能となっている。
【０００５】
第２の移動部材は、スプールの回転に伴う遠心力を受けた時にスプールの径方向外側に向って移動し、スプールのテーパ状内周面に接触する。これにより、第２の移動部材とスプールとの接触部分に、第１の移動部材を磁石の方向に押し出そうとする押圧力が発生する。この押圧力がコイルばねの付勢力に打ち勝った時点で、第１の移動部材が導電体と一緒に磁石に近づく方向に移動し、この磁石の磁力により導電体に渦電流が発生する。
【０００６】
この結果、導電体と一緒に回転するスプールに磁気制動力が作用し、スプールの過剰回転に伴うバックラッシュ現象の発生が抑制される。
【０００７】
さらに、特許文献１の制動機構によると、複数の第２の移動部材は、第１の移動部材に対し移動可能状態と移動禁止状態とのいずれかに選択的に切り換えが可能となっている。具体的には、第１の移動部材は、スプールの径方向に延びる複数の嵌合孔を有し、各嵌合孔に第２の移動部材が摺動可能に支持されている。嵌合孔のうちスプールの径方向内側に位置する内端に第１の係合突起が形成されている。第２の移動部材は、嵌合孔の内端に対応する端部に第２の係合突起を有している。
【０００８】
第２の移動部材が移動可能状態にある時は、第１の係合突起と第２の係合突起とが互いに離脱している。そのため、第２の移動部材は、嵌合孔に沿って自由に移動し得る状態に保持されている。第２の移動部材が移動禁止状態にある時は、第１の係合突起と第２の係合突起とが互いに係合している。この係合により、第２の移動部材が嵌合孔の内端にロックされ、スリーブの径方向に沿う自由な移動が制限されている。
【０００９】
したがって、複数の第２の移動部材の中の幾つかを移動可能状態に保ち、残りの第２の移動部材を移動禁止状態に移行させることで、遠心力を受けて移動する第２の移動部材の数を変化させることができる。
【００１０】
この結果、スプールに作用する制動力の大きさやスプールに制動力が作用する回転域を、例えば釣人の熟練度やキャスティング状況等に応じて適宜変更することができる。
【特許文献１】特許第３５１５８７５
【発明の開示】
【発明が解決しようとする課題】
【００１１】
従来の制動機構によると、移動可能状態にある第２の移動部材を移動禁止状態に移行したり、あるいは移動禁止状態にある第２の移動部材を移動可能状態に移行する操作は、両軸受リールを使用する以前に釣人自身の手作業によって行われる。
【００１２】
しかしながら、スプールの回転時に遠心力を受ける第２の移動部材は、スプールのテーパ状内周面、スプール軸および導電体とで囲まれた狭い領域に収容されているため、スプール軸の上に第１の移動部材や導電体を装着したままでは、スプールや導電体が邪魔となってリール本体の外から第２の移動部材にアクセスすることができない。
【００１３】
このため、例えば第２の移動部材を移動可能状態から移動禁止状態に切り換えるためには、リール本体を分解して第２の移動部材を導電体や第１の移動部材と一緒にスプール軸の上から取り外さなくてはならない。
【００１４】
したがって、スプールの制動特性を変更する作業に多大な手間と労力を伴うことになり、キャスティング状況あるいは釣場の状況等に応じてスプールの制動特性を容易に調節したいという要求を満たすことが困難な状況となる。
【００１５】
本発明の目的は、スプールに付与される磁気制動力を、スプール軸から移動部材を取り外すことなく容易に変更することができ、使い易い魚釣用リールを得ることにある。
【課題を解決するための手段】
【００１６】
上記目的を達成するため、本発明の一つの形態に係る魚釣用リールは、  
リール本体と、上記リール本体にスプール軸を介して回転自在に支持されたスプールと、上記リール本体に取り外し可能に支持され、上記スプールの一端を上記リール本体の外から覆うカバーと、回転するスプールに磁気制動力を付与する制動機構と、を具備している。  
上記制動機構は、(1)上記スプールの一端に位置するように上記スプール軸上に設けられ、上記スプールに追従して回転するとともに、上記スプール軸の軸方向に移動可能な導電体と、(2)上記カバーに設けられ、上記導電体と向かい合う磁石と、(3)上記スプールの回転に伴う遠心力を受けて上記スプールの径方向に移動することで、上記導電体を上記磁石に近づけたり遠ざかる方向に変位させ、上記導電体に作用する上記磁石の磁力を変化させて上記磁気制動力を増減させる複数の移動部材と、を備えている。  
上記移動部材は、夫々上記スプールの径方向への移動を許容する作動状態と、上記スプールの径方向への移動を禁止する非作動状態とに切り換え可能であるとともに、上記移動部材を作動状態又は非作動状態に切り換え操作するための操作部を有し、この操作部は、上記カバーを上記リール本体から取り外した時に、上記リール本体の外から人為的に操作可能であることを特徴としている。
【００１７】
上記目的を達成するため、本発明の他の形態に係る魚釣用リールは、  
リール本体と、上記リール本体にスプール軸を介して回転自在に支持されたスプールと、上記リール本体に取り外し可能に支持され、上記スプールの一端を上記リール本体の外から覆うカバーと、回転するスプールに磁気制動力を付与する制動機構と、を具備している。  
上記制動機構は、(1)上記スプールの一端に位置するように上記スプール軸上に設けられ、上記スプールに追従して回転するとともに、上記スプール軸の軸方向に移動可能な導電体と、(2)上記カバーに設けられ、上記導電体と向かい合う磁石と、(3)上記スプールの回転に伴う遠心力を受けて上記スプールの径方向に移動することで、上記導電体を上記磁石に近づけたり遠ざかる方向に変位させ、上記導電体に作用する上記磁石の磁力を変化させて上記磁気制動力を増減させる複数の移動部材と、(4)上記移動部材に係合することで上記移動部材の移動を禁止する第１の位置と、上記移動部材から離脱することで上記移動部材の移動を許容する第２の位置との間で移動可能なロック部材と、を備えており、上記ロック部材は、上記カバーを上記リール本体から外した時に、上記リール本体の外からの人為的な操作により上記第1の位置又は上記第２の位置に選択的に移動可能であることを特徴としている。
【発明の効果】
【００１８】
本発明によれば、導電体や移動部材をスプール軸からリール本体の外に取り出すことなく、移動部材の移動を許容する状態と、移動部材の移動を禁止する状態とのいずれかに切り換えることができる。
【００１９】
このため、スプールに対する磁気制動力の効き具合を調節する作業を、例えば釣人の好みや釣場の状況等に応じて容易かつ速やかに変更することができ、使い勝手に優れた魚釣用リールを提供することができる。
【発明を実施するための最良の形態】
【００２０】
以下本発明の第１の実施の形態を、図１ないし図８に基づいて説明する。
【００２１】
図１は、両軸受タイプの魚釣用リール１を開示している。魚釣用リール１は、金属製のリール本体２を備えている。リール本体２は、釣竿のリールシートに固定される。
【００２２】
リール本体２は、左右一対の側壁部３ａ，３ｂと、第１および第２のサイドカバー４ａ，４ｂと、を備えている。側壁部３ａ，３ｂは、魚釣用リール１の幅方向に互いに間隔を存して向かい合っている。左側の側壁部３ａは、その中央部分に円形の開口部５を有している。
【００２３】
第１のサイドカバー４ａは、左側の側壁部３ａに着脱可能に取り付けられて、この側壁部３ａを魚釣用リール１の左側方から覆っている。第２のサイドカバー４ｂは、右側の側壁部３ｂに着脱可能に取り付けられて、この側壁部３ｂを魚釣用リール１の右側方から覆っている。
【００２４】
図１に示すように、第１のサイドカバー４ａに磁石ホルダー６がねじ止めされている。磁石ホルダー６は、第１の円筒部７と第２の円筒部８とを備えている。第２の円筒部８は、第１の円筒部７よりも大径であり、第１の円筒部７を同軸状に取り囲んでいる。第１および第２の円筒部７，８は、側壁部３ａの開口部５の内側に位置するとともに、この開口部５を介して側壁部３ａ，３ｂの間に露出している。
【００２５】
リール本体２は、スプール軸１０を回転自在に支持している。スプール軸１０は、リール本体２の側壁部３ａ，３ｂの間に跨っている。スプール軸１０の一端は、軸受１１を介して磁石ホルダー６の第１の円筒部７に回転自在に支持されている。スプール軸１０の他端は、他の軸受１２を介してリール本体２の右側の側壁部３ｂに回転自在に支持されている。
【００２６】
スプール軸１０の外周面上にスプール１３が固定されている。スプール１３は、スプール軸１０が貫通するボス部１４と、釣糸を巻き付ける円筒状の巻胴部１５とを有している。巻胴部１５は、スプール軸１０を同軸状に取り囲んでいる。巻胴部１５の内周面のうち、ボス部１４の左側に位置する部分は、左側の側壁部３ａの方向に進むに従いスプール軸１０の径方向外側に向けて傾斜する平滑なテーパ面１６をなしている。
【００２７】
スプール軸１０の他端は、クラッチを有する公知の回転力伝達手段を介してハンドル１７に接続されている。ハンドル１７は、釣糸をスプール１３に巻き取る際に手で操作するものであり、図示しないハンドル軸を介してリール本体２に支持されている。
【００２８】
上記クラッチは、釣人が操作レバーを操作することでＯＮ位置とＯＦＦ位置とに切り換えが可能となっている。ＯＮ位置では、ハンドル１７とスプール軸１０との間が機械的に結合されて、ハンドル１７に入力された回転力がスプール軸１０に伝わり、釣糸を巻き取る方向にスプール１３を回転させることができる。ＯＦＦ位置では、ハンドル１７とスプール軸１０との結合が解除されて、スプール１３が自由に回転し得る状態に移行し、スプール１３からの釣糸の繰り出しが可能となる。
【００２９】
図１に示すように、魚釣用リール１は、回転するスプール１３に磁気制動力を付与するための制動機構２０を搭載している。制動機構２０は、スプール１３から釣糸が繰り出される時に、スプール１３の過剰回転を抑制するバックラッシュ防止機構の一例であり、スプール１３の一端と磁石ホルダー６との間に介在されている。
【００３０】
図１および図２に示すように、制動機構２０は、複数の第１の磁石２１、複数の第２の磁石２２、第１の移動部材２３、一対の第２の移動部材２４ａ，２４ｂおよび導電体２５を備えている。
【００３１】
第１の磁石２１は、磁石ホルダー６の第１の円筒部７の外周面に支持されて、第１の円筒部７の周方向に間隔を存して並んでいる。隣り合う第１の磁石２１においては、第１の円筒部７の径方向外側を向く磁極が互いに異なっている。第２の磁石２２は、磁石ホルダー６の第２の円筒部８の内周面に支持されて、第２の円筒部８の周方向に間隔を存して並んでいる。隣り合う第２の磁石２２においては、第２の円筒部８の径方向内側を向く磁極が互いに異なっている。
【００３２】
さらに、第１の磁石２１の外周面と第２の磁石２２の内周面とは、隙間２６を介して向かい合っている。隙間２６は、第１および第２の円筒部７，８の周方向に連続するとともに、開口部５の内側に位置している。
【００３３】
本実施の形態によると、磁石ホルダー６の第２の円筒部８は、第１のサイドカバー４ａに設けた磁力調整摘み２７を操作することで、周方向に回動可能となっている。この回動により、第１の磁石２１の磁極と第２の磁石２２の磁極との相対的な位置関係を変化させることができる。言い換えると、第１の磁石２１と第２の磁石２２との相対的な位置を、吸引磁力が最大となる位置と、反発磁力が最大となる位置との間で任意に変化させることができる。
【００３４】
上記第１の移動部材２３は、ブラケットの一例であり、スプール軸１０の外周面上に位置している。第１の移動部材２３は、スプール軸１０が貫通するボス部２８と支持壁２９とを有している。ボス部２８は、スプール軸１０と一体に回転しつつ、スプール軸１０の軸方向に移動可能にスプール軸１０に支持されている。支持壁２９は、ボス部２８の外周面から径方向外側に拡がる円盤状をなしている。
【００３５】
第１の移動部材２３の支持壁２９に一対のガイド孔３０（図４に一方のみを図示）が形成されている。ガイド孔３０は、ボス部２８の径方向に対向する二箇所から支持壁２９の径方向に延びるスリット状をなしており、その先端が支持壁２９の外周縁に開口している。支持壁２９の外周縁は、スプール１３のテーパ面１６の内側に位置している。
【００３６】
図２ないし図４に示すように、第２の移動部材２４ａ，２４ｂは、第１の移動部材２３の支持壁２９に支持されている。第２の移動部材２４ａ，２４ｂは、例えば幾分かの弾性を有する合成樹脂材料により成形されて、略角柱状をなしている。第２の移動部材２４ａ，２４ｂの中間部の外周面に小径部３１が形成されている。小径部３１は、支持壁２９のガイド孔３０に摺動可能に嵌め込まれている。これにより、第２の移動部材２４ａ，２４ｂがガイド孔３０に沿ってスプール１３の径方向に移動可能となっている。
【００３７】
第２の移動部材２４ａ，２４ｂは、スプール１３のテーパ面１６と向かい合う外面３２を有している。外面３２は、テーパ面１６に沿うように傾斜しているとともに、テーパ面１６と同様に平滑に仕上げられている。
【００３８】
第２の移動部材２４ａ，２４ｂは、第１の移動部材２３を介してスプール１３と一緒に回転する。第２の移動部材２４ａ，２４ｂは、スプール１３の回転に伴う遠心力を受けた時にスプール１３の径方向外側に向けて移動し、その外面３２がスプール１３のテーパ面１６に押し付けられる。
【００３９】
これにより、第２の移動部材２４ａ，２４ｂとスプール１３との接触部分に、第２の移動部材２４ａ，２４ｂを第１および第２の磁石２１，２２に向けて左側に押し出そうとする力が発生する。この結果、第１の移動部材２３が第２の移動部材２４ａ，２４ｂを介して第１および第２の磁石２１，２２に近づく方向に移動するようになっている。
【００４０】
上記導電体２５は、例えばアルミニウム合金や銅のような金属材料により円筒状に形成されている。導電体２５は、第１の移動部材２３の支持壁２９の外周部に支持されて、第１の移動部材２３と一緒に回転しつつ、スプール軸１０の軸方向に移動可能となっている。導電体２５は、スプール軸１０と同軸状をなすとともに、第１の移動部材２３の支持壁２９から第１の磁石２１と第２の磁石２２との間の隙間２６に向けて突出している。
【００４１】
図２に示すように、スプール軸１０の外周面上に弾性部材としての圧縮コイルばね３３が装着されている。圧縮コイルばね３３は、第１の移動部材２３のボス部２８を第１および第２の磁石２１，２２から遠ざかる方向に付勢するとともに、このボス部２８をスプール１３のボス部１４との間で挟み込んでいる。このため、スプール１３が停止している限り、導電体２５は圧縮コイルばね３３によって第１および第２の磁石２１，２２から遠ざかる方向に付勢されている。
【００４２】
図３および図６に示すように、第１の移動部材２３の支持壁２９に第１の係合部３５が形成されている。第１の係合部３５は、支持壁２９から半球状に突出する凸部であり、第２の移動部材２４ａ，２４ｂの移動経路に対応するガイド孔３０の近傍においてボス部２８に隣接している。
【００４３】
さらに、第２の移動部材２４ａ，２４ｂの小径部３１に隣接した位置に第２の係合部３６が形成されている。第２の係合部３６は、第１の係合部３５が嵌合可能な窪みであり、ボス部２８と向かい合う第２の移動部材２４ａ，２４ｂの一端に位置している。
【００４４】
このため、第２の移動部材２４ａ，２４ｂは、第２の係合部３６が第１の係合部３５に嵌まり合う非作動状態と、第２の係合部３６が第１の係合部３５から離脱する作動状態とのいずれかに保持されるようになっている。
【００４５】
図２および図３は、第２の移動部材２４ａ，２４ｂが非作動状態に移行された様子を開示している。非作動状態では、第２の係合部３６は、第２の移動部材２４ａ，２４ｂの固有の弾性により、第１の係合部３５との嵌合状態を維持している。これにより、スプール１３の径方向に沿う第２の移動部材２４ａ，２４ｂの移動が制限されている。
【００４６】
この結果、第２の移動部材２４ａ，２４ｂは、スプール１３の回転に伴う遠心力が作用した場合でも、スプール１３の径方向外側に移動することなく第１の移動部材２３のボス部２８に隣接した位置にロックされる。
【００４７】
図５および図６は、第２の移動部材２４ａ，２４ｂが作動状態に移行された様子を開示している。作動状態では、第１の係合部３５と第２の係合部３６との嵌合が解除されているので、第２の移動部材２４ａ，２４ｂは、ガイド孔３０に沿って自由に動き得る状態にある。このため、第２の移動部材２４ａ，２４ｂは、スプール１３の回転に伴う遠心力が作用した時点で、スプール１３の径方向外側に向けて移動を開始する。
【００４８】
このことから、例えば一方の第２の移動部材２４ａを作動状態に切り換え、他方の第２の移動部材２４ｂを作動禁止状態に切り換えることで、遠心力を受けて移動する第２の移動部材２４ａ，２４ｂの数を変化させることができる。
【００４９】
図２および図３に示すように、第２の移動部材２４ａ，２４ｂは、夫々操作部としての舌片３７を有している。舌片３７は、第２の移動部材２４ａ，２４ｂに一体に形成されて、第２の移動部材２４ａ，２４ｂの外面３２に近い位置から左側の側壁部３ａの開口部５に向けて張り出している。舌片３７は、導電体２５とスプール１３のテーパ面１６との間に位置している。
【００５０】
舌片３７は、釣人が手の指先で掴めるような形状を有している。このため、第２の移動部材２４ａ，２４ｂが非作動状態にある時に、舌片３７を手の指先で掴んで引っ張ると、第２の係合部３６が第１の係合部３５から外れる方向に第２の移動部材２４ａ，２４ｂが弾性的に変形する。よって、第１の係合部３５と第２の係合部３６との嵌合が解除され、第２の移動部材２４ａ，２４ｂが非作動状態から作動状態に切り換わる。
【００５１】
同様に、第２の移動部材２４ａ，２４ｂが作動状態にある時に、例えば第２の移動部材２４ａ，２４ｂの舌片３７から外面３２に至る領域を指先でスプール１３の径方向内側に押圧すると、第２の係合部３６が第１の係合部３５に弾性的に嵌合するように第２の移動部材２４ａ，２４ｂが弾性的に変形する。これにより、第１の係合部３５と第２の係合部３６とが嵌合状態を維持し、第２の移動部材２４ａ，２４ｂが作動状態から非作動状態に切り換わる。
【００５２】
このような構成の魚釣用リール１において、リール本体２のクラッチをＯＦＦ位置にして釣竿をキャスティングすると、飛翔する仕掛けにより釣糸が引っ張られる。これにより、スプール１３が回転し、スプール１３から釣糸が順次繰り出される。スプール１３が回転すると、スプール軸１０上の第１および第２の移動部材２３，２４ａ，２４ｂがスプール１３と一緒に回転する。
【００５３】
キャスティング直後では、スプール１３の回転速度が低いために、第２の移動部材２４ａ，２４ｂに作用する遠心力は小さい。このため、第２の移動部材２４ａ，２４ｂの外面３２がスプール１３のテーパ面１６に押し付けられても、第１の移動部材２３を圧縮コイルばね３３の付勢力に抗して第１および第２の磁石２１，２２に向けて押し出すことができない。
【００５４】
したがって、導電体２５にしても第１の磁石２１と第２の磁石２２との隙間２６に入り込むことができない。この結果、導電体２５が第１および第２の磁石２１，２２の間に形成される磁束を横切ることはないので、導電体２５に渦電流は発生せず、導電体２５と一緒に回転するスプール１３に磁気制動力は生じない。
【００５５】
キャスティングの中期では、釣糸の繰り出しに伴ってスプール１３の回転速度がさらに増大するので、第２の移動部材２４ａ，２４ｂに作用する遠心力が大きくなる。これにより、第２の移動部材２４ａ，２４ｂの外面３２がスプール１３のテーパ面１６に強く押し付けられ、第１の移動部材２３を第１および第２の磁石２１，２２の方向に押し出そうとする力が圧縮コイルばね３３の付勢力に打ち勝つ。
【００５６】
そのため、第１の移動部材２３が導電体２５を伴って第１および第２の磁石２１，２２に近づく方向に移動を開始し、導電体２５の先端部が第１の磁石２１と第２の磁石２２との隙間２６に入り込む。
【００５７】
この結果、導電体２５が第１の磁石２１と第２の磁石２２との間に形成される磁束を横切るので、第１および第２の磁石２１，２２の磁力の作用により導電体２５に渦電流が発生する。渦電流は、磁束を横切る部分の導電体２５の面積およびスプール１３の回転速度に比例して増大し、この渦電流によりスプール１３に作用する磁気制動力も大きくなる。
【００５８】
このことから、キャスティングの中期においては、釣糸にバックラッシュ現象を生じさせる原因となるスプール１３の回転速度の過度の上昇を適度に抑制することができる。
【００５９】
キャスティングの終期において、スプール１３の回転速度が低下すると、第２の移動部材２４ａ，２４ｂに作用する遠心力が小さくなる。このため、第２の移動部材２４ａ，２４ｂの外面３２をスプール１３のテーパ面１６に押し付ける力が減少し、第１の移動部材２３を第１および第２の磁石２１，２２に近づく方向に押し出そうとする力が圧縮コイルばね３３の付勢力よりも小さくなる。
【００６０】
この結果、第１の移動部材２３が圧縮コイルばね３３によって第１および第２の磁石２１，２２から遠ざかる方向に押し戻され、導電体２５の先端部が第１の磁石２１と第２の磁石２２との隙間２６から徐々に抜け出す。これにより、第１の磁石２１と第２の磁石２２との間に形成される磁束を横切る導電体２５の面積が減少し、導電体２５に発生する渦電流ひいてはスプール１３に生じる磁気制動力が、磁束を横切る部分の導電体２５の面積およびスプール１３の回転速度の減少に比例して小さくなる。
【００６１】
よって、キャスティングの終期においても、スプール１３に作用する磁気制動力が急激に低下することはなく、回転するスプール１３の慣性に伴うバックラッシュ現象の発生を防止することができる。
【００６２】
上記第１の実施の形態に係る魚釣用リール１では、第２の移動部材２４ａ，２４ｂが個々にスプール１３の径方向への自由な移動を許容する作動状態と、スプール１３の径方向への移動を禁止する非作動状態とのいずれかに切り換え可能となっている。そのため、一方の第２の移動部材２４ａを作動状態に切り換え、他方の第２の移動部材２４ｂを作動禁止状態に切り換えることで、遠心力を受けて移動する第２の移動部材２４ａ，２４ｂの数を変化させることができる。
【００６３】
この結果、第２の移動部材２４ａ，２４ｂが遠心力を受けた時に、導電体２５を第１および第２の磁石２１，２２に向けて押し出すタイミイングを変更することができる。よって、スプール１３に対する磁気制動力の効き具合を釣人の好みや釣場の状況等に応じて調節することができ、キャスティング時にバックラッシュを起こさないようにする操作を、特に熟練を要することなく容易に行なうことができる。
【００６４】
ところで、上記構成の魚釣用リール１によると、第２の移動部材２４ａ，２４ｂを作動状態又は非作動状態に切り換える操作は、第２の移動部材２４ａ，２４ｂの舌片３７を手の指先で掴んで、第２の移動部材２４ａ，２４ｂを弾性的に変形させることで実行する。
【００６５】
この切り換え操作を実行するに当っては、まず、リール本体２の側壁部３ａから第１のサイドカバー４ａを取り外す。これにより、第１および第２の磁石２１，２２が第１のサイドカバー４ａや磁石ホルダー６と一緒にリール本体２から切り離され、リール本体２の左側の側壁部３ａに設けた開口部５が露出される。
【００６６】
そのため、導電体２５、およびスプール１３のテーパ面１６と導電体２５との間に位置する舌片３７を、開口部５を通じてリール本体２の外に露出させることができる。
【００６７】
この結果、開口部５に指先を挿入して舌片３７を操作することが可能となり、導電体２５や第１の移動部材２３をスプール軸１０の上から取り外すことなく第２の移動部材２４ａ，２４ｂを作動状態又は非作動状態のいずれかに切り換えることができる。
【００６８】
特に第１の移動部材２３は、導電体２５と一緒にスプール軸１０の軸方向に移動可能であるから、開口部５に挿入した手の指先で導電体２５を掴んで圧縮コイルばね３３の付勢力に抗して引き出せば、図７および図８に示すように、第２の移動部材２４ａ，２４ｂの舌片３７をスプール１３の大径な一端に位置させることができる。
【００６９】
そのため、第２の移動部材２４ａ，２４ｂの舌片３７が側壁部３ａの開口部５に近づくと同時にスプール１３のテーパ面１６から遠ざかり、舌片３７の周囲が広く開放される。したがって、舌片３７を引っ張って第１の係合部３５を第２の係合部３６から離脱させる操作、および第２の移動部材２４ａ，２４ｂの舌片３７から外面３２に至る領域をスプール１３の径方向内側に押圧して、第１の係合部３５を第２の係合部３６に嵌合させる操作を行なう時に、スプール１３およびリール本体２の側壁部３ａが邪魔となることはない。
【００７０】
よって、スプール１３に対する磁気制動力の効き具合を調節する作業を、例えば釣人の好みや釣場の状況等に応じて容易かつ速やかに変更することが可能となり、使い勝手に優れた魚釣用リール１を提供することができる。
【００７１】
本発明は上記第１の実施の形態に特定されるものではなく、発明の主旨を逸脱しない範囲内で種々変更して実施可能である。
【００７２】
例えば、図９ないし図１２は本発明の第２の実施の形態を開示している。
【００７３】
この第２の実施の形態は、第２の移動部材２４ａ，２４ｂを非作動状態又は作動状態に切り換えるための構成が上記第１の実施の形態と相違している。これ以外の魚釣用リールの構成は、基本的に第１の実施の形態と同様である。そのため、第２の実施の形態において、第１の実施の形態と同一の構成部分には、同一の参照符号を付してその説明を省略する。
【００７４】
図９および図１０に示すように、第１の移動部材２３のボス部２８は、支持壁２９よりも導電体２５の方向に突出する円筒状の延出部４１を有している。延出部４１は、導電体２５によって同軸状に取り囲まれているとともに、この延出部４１の一端に圧縮コイルばね３３が当接している。
【００７５】
延出部４１の外周面上に中空円筒状のロック部材４２が取り付けられている。ロック部材４２は、圧縮コイルばね３３を覆うとともに、導電体２５によって同軸状に取り囲まれている。導電体２５の内周面とロック部材４２の外周面との間には、手の指先あるいは工具等を差し入れることができる程度の隙間４３が形成されている。
【００７６】
ロック部材４２は、例えば幾分かの弾性を有する合成樹脂材料により成形されて、径方向に弾性変形が可能となっている。図１０に示すように、ロック部材４２の軸方向に沿う一端に係合突起４４が形成されている。係合突起４４は、第２の移動部材２４ａ，２４ｂに向けて突出している。第２の移動部材２４ａ，２４ｂは、夫々係合部としての係合凹部４５を有している。係合凹部４５は、ロック部材４２の係合突起４４が取り外し可能に係合されるものであり、第２の移動部材２４ａ，２４ｂのうち第１の移動部材２３のボス部２８に隣接する端部に位置している。
【００７７】
図１０および図１２に最もよく示されるように、ロック部材４２の内周面に凸部４７が形成されている。凸部４７は、ロック部材４２の軸方向に沿う一端に位置するとともに、ロック部材４２の内周面から延出部４１の外周面に向けて突出している。
【００７８】
延出部４１の外周面に第１および第２の凹部４８，４９が形成されている。第１および第２の凹部４８，４９は、ロック部材４２の凸部４７が選択的に取り外し可能に係合されるものであり、延出部４１の軸方向に間隔を存して並んでいる。
【００７９】
ロック部位４２は、第１の位置と第２の位置との間で延出部４１の軸方向に移動可能となっている。図９および図１０は、ロック部材４２が第１の位置に移動された状態を開示している。第１の位置では、ロック部材４２が第２の移動部材２４ａ，２４ｂに近づく方向に移動されて、このロック部材４２の係合突起４４が第２の移動部材２４ａ，２４ｂの係合凹部４５に係合されている。
【００８０】
それとともに、ロック部材４２の凸部４７が第１の凹部４８に係合されており、これによりロック部材４２が第１の位置に保持されている。
【００８１】
そのため、ロック部材４２が第１の位置にある限り、スプール１３の径方向に沿う第２の移動部材２４ａ，２４ｂの移動が制限されて、第２の移動部材２４ａ，２４ｂが非作動状態に保持されている。この結果、第２の移動部材２４ａ，２４ｂは、スプール１３の回転に伴う遠心力が作用した場合でも、スプール１３の径方向外側に移動することなく第１の移動部材２３のボス部２８に隣接した位置にロックされる。
【００８２】
図１１および図１２は、ロック部材４２が第２の位置に移動された状態を開示している。第２の位置では、ロック部材４２が第２の移動部材２４ａ，２４ｂから遠ざかる方向に移動されて、ロック部材４２の係合突起４４が第２の移動部材２４ａ，２４ｂの係合凹部４５から離脱している。
【００８３】
それとともに、ロック部材４２の凸部４７が第１の凹部４８から離脱して第２の凹部４９に係合されており、これによりロック部材４２が第２の位置に保持されている。
【００８４】
このため、ロック部材４２が第２の位置にある限り、第２の移動部材２４ａ，２４ｂは、スプール１３の径方向に自由に動き得る状態にある。このため、第２の移動部材２４ａ，２４ｂは、スプール１３の回転に伴う遠心力が作用した時点で、スプール１３の径方向外側に向けて移動を開始する。
【００８５】
図９に示すように、第２の移動部材２４ａ，２４ｂの反対側に位置するロック部材４２の他端は、導電体２５の開口端の内側に位置し、リール本体の側壁部に設けた開口部に隣接している。このロック部材４２の他端の外周面には、窪み５０が形成されている。窪み５０は、例えばロック部材４２の周方向に連続していても良いし、あるいはロック部材４２の周方向に間隔を存して並んでいても良い。
【００８６】
ロック部材４２の窪み５０は、ロック部材４２を軸方向に移動させる時に、手の指先を掛ける操作部の一例であり、上記隙間４３に露出している。さらに、窪み５０は、リール本体の側壁部から第１のサイドカバーを取り外した時に、側壁部の開口部を通じてリール本体の外方に露出するようになっている。
【００８７】
このような第２の実施の形態では、ロック部材４２を第１の位置又は第２の位置に移動させることで、第２の移動部材２４ａ，２４ｂが個々にスプール１３の径方向への自由な移動を許容する作動状態と、スプール１３の径方向への移動を禁止する非作動状態とのいずれかに切り換え可能となっている。そのため、一方の第２の移動部材２４ａを作動状態に切り換え、他方の第２の移動部材２４ｂを非作動状態に切り換えることで、遠心力を受けて移動する第２の移動部材２４ａ，２４ｂの数を変化させることができる。
【００８８】
上記第２の実施の形態によると、第２の移動部材２４ａ，２４ｂを作動状態と非作動状態とに切り換えるロック部材４２は、スプール軸１０を取り囲むように第１の移動部材２３のボス部２８に取り付けられ、導電体２５とスプール軸１０との間の隙間４３に露出している。
【００８９】
この隙間４３は、リール本体の側壁部から第１のサイドカバーを取り外した時に、側壁部の開口部からリール本体の外に露出する。このため、開口部から隙間４３内に差し入れた手の指先でロック部材４２を掴むことにより、このロック部材４２を第１の位置又は第２の位置のいずれかに選択的に移動させることができる。
【００９０】
この結果、導電体２５や第１の移動部材２３をスプール軸１０の上から取り外すことなく第２の移動部材２４ａ，２４ｂを作動状態又は非作動状態のいずれかに切り換えることができる。
【００９１】
よって、上記第１の実施の形態と同様に、スプール１３に対する磁気制動力の効き具合を調節する作業を、例えば釣人の好みや釣場の状況等に応じて容易かつ速やかに変更できるといった利点がある。
【００９２】
なお、スプールの径方向に移動可能な第２の移動部材の数は、上記実施の形態に特定されるものではなく、例えば三個ないし六個の第２の移動部材をスプール軸を中心に放射状に配置してもよい。
【図面の簡単な説明】
【００９３】
【図１】本発明の第１の実施の形態に係る魚釣用リールを一部断面で示す平面図。
【図２】本発明の第１の実施の形態において、第２の移動部材を非作動状態に切り換えた様子を示す制動機構の断面図。
【図３】図２のＦ３部を拡大して示す断面図。
【図４】本発明の第１の実施の形態において、第１の移動部材、第２の移動部材および導電体の位置関係を示す断面図。
【図５】本発明の第１の実施の形態において、第２の移動部材を作動状態に切り換えた様子を示す制動機構の断面図。
【図６】図５のＦ６部を拡大して示す断面図。
【図７】本発明の第１の実施の形態において、第２の移動部材を第１の移動部材および導電体と一緒にスプールから遠ざかる方向に移動させた状態を示す制動機構の断面図。
【図８】図７のＦ８部を拡大して示す断面図。
【図９】本発明の第２の実施の形態において、ロック部材を第１の位置に移動させるとともに、このロック部材を介して第２の移動部材を非作動状態に保持した状態を示す制動機構の断面図。
【図１０】図９のＦ１０部を拡大して示す断面図。
【図１１】本発明の第２の実施の形態において、ロック部材を第２の位置に移動させるとともに、このロック部材を介して第２の移動部材を作動状態に保持した状態を示す制動機構の断面図。
【図１２】図１１のＦ１２部を拡大して示す断面図。
【符号の説明】
【００９４】
２…リール本体、４ａ…カバー（第１のサイドカバー）、１０…スプール軸、１３…スプール、２０…制動機構（バックラッシュ防止機構）、２１，２２…磁石（第１の磁石、第２の磁石）、２３…第１の移動部材、２４ａ，２４ｂ…第２の移動部材、２５…導電体、３３…弾性部材（圧縮コイルばね）、３７…操作部（舌片）、４２…ロック部材。
【図１】
2008193927.tif 000003
【図２】
2008193927.tif 000004
【図３】
2008193927.tif 000005
【図４】
2008193927.tif 000006
【図５】
2008193927.tif 000007
【図６】
2008193927.tif 000008
【図７】
2008193927.tif 000009
【図８】
2008193927.tif 000010
【図９】
2008193927.tif 000011
【図１０】
2008193927.tif 000012
【図１１】
2008193927.tif 000013
【図１２】
2008193927.tif 000014